(57)【要約】      （修正有）【課題】簡易な構成で且つ取り扱いが容易であり、安全性が高く美肌効果に優れる美容機器を提供する。【解決手段】美容機器１は、表面に二酸化チタン層を有するチタンローラ５と、光照射部７とを備える美容器であり、光照射部７は異なる波長の光を発する２種以上の発光ダイオードを有し、チタンローラ５の側線に沿って配置してあることを特徴とする。【選択図】図１
2008142207.tif 000002
【特許請求の範囲】
【請求項１】
表面に二酸化チタン層を有するチタンローラと、光照射部とを備える美容器であって、光照射部は異なる波長の光を発する２種以上の発光ダイオードを有し、チタンローラの側線に沿って配置してあることを特徴とする美容機器。
【請求項２】
手で把持する把持部を有し、把持部の先端側にチタンローラと光照射部とを設けてあり、光照射部はチタンローラの回転軸よりも把持部の後端側に配置して、先端に向けて照射すると共に照射した光の一部をチタンローラに照射していることを特徴とする請求項１に記載の美容機器。
【請求項３】
発光ダイオードは少なくとも、赤色光〜黄色光の範囲内の波長の光を発光する発光ダイオードと、近赤外光の発光ダイオードであることを特徴とする請求項２に記載の美容機器。
【請求項４】
各発光ダイオードは１秒間に２回以上点滅することを特徴とする請求項１に記載の美容機器。
【請求項５】
チタンローラは純正チタンの表面を陽極酸化してあることを特徴とする請求項１に記載の美容機器。
【発明の詳細な説明】
【技術分野】
【０００１】
本発明は、美容機器に係わり、特に皮膚の活性化を図ると共に皮膚の細菌増殖を抑え、美肌効果に優れる美容機器に関する。
【背景技術】
【０００２】
特許文献１には、発光ダイオードの光を皮膚に向けて照射すると共にビタミン水溶液をイオン化して皮膚に供給する美容機器が開示されている。
【０００３】
【特許文献１】特開２００５−１６８８９４号公報
【発明の開示】
【発明が解決しようとする課題】
【０００４】
しかしながら、特許文献１の美容機器は、ビタミン液をイオン化するので構成が複雑になると共にビタミン液を補充しなければならないので、取り扱いに手間が係るという問題がある。
【０００５】
また、特許文献１では、皮膚表面の細菌増殖を押さえ或いは滅菌には充分でなく、細菌による肌荒れ防止効果が薄い。
【０００６】
更に、簡易に取扱いでき、家庭や個人でも安全に使用できる美容機器が望まれている。
【０００７】
本発明は、前記事情に着目してなされたものであり、簡易な構成で且つ取り扱いが容易であり、安全性が高く美肌効果に優れる美容機器を提供することにある。
【課題を解決するための手段】
【０００８】
前記課題を解決する為に、請求項１に記載された発明は、表面に二酸化チタン層を有するチタンローラと、光照射部とを備える美容器であって、光照射部は異なる波長の光を発する２種以上の発光ダイオードを有し、チタンローラの側線に沿って配置してあることを特徴とする。
【０００９】
請求項２に記載された発明は、請求項１に記載された発明において、手で把持する把持部を有し、把持部の先端側にチタンローラと光照射部とを設けてあり、光照射部はチタンローラの回転軸よりも把持部の後端側に配置して、先端に向けて照射すると共に照射した光の一部をチタンローラに照射していることを特徴とする。
【００１０】
請求項３に記載された発明は、請求項２に記載された発明において、発光ダイオードは少なくとも、赤色光〜黄色光の範囲内の波長の光を発光する発光ダイオードと、近赤外光の発光ダイオードであることを特徴とする。
【００１１】
請求項４に記載された発明は、請求項１に記載された発明において、各発光ダイオードは１秒間に２回以上点滅することを特徴とする。
【００１２】
請求項５に記載された発明は、請求項１に記載された発明において、チタンローラは純正チタンの表面を陽極酸化してあることを特徴とする。
【発明の効果】
【００１３】
請求項１に記載された発明によれば、発光ダイオード（ＬＥＤ）による光照射により皮膚に刺激を与えて皮膚の活性化を図ると共に、二酸化チタンの光触媒作用により皮膚に付着している細菌の増殖を抑え且つ滅菌する。このような発光ダイオードと二酸化チタンによる複合作用を得ることができ、皮膚の老化防止、にきびの抑制及び美白を促すことができる。更に、二酸化チタンの光触媒作用により、皮膚に付着している老化物の分解、イオンの放出により生体電流を整え、親水作用により皮膚にうるおいを与えることができる。
【００１４】
美容機器は、発光ダイオードから光を照射しつつチタンローラを皮膚に当ててチタンローラが回転するように皮膚面に沿って移動させるだけであり、操作性が良い。
【００１５】
また、チタンローラと発光ダイオードとの構成であるから高圧電力を必要とせず、安全であると共に簡易な構成で且つ取り扱いが容易である。
【００１６】
請求項２に記載された発明によれば、請求項１に記載された発明と同様の効果を奏すると共に、発光ダイオードの光の一部をチタンローラに照射するので、二酸化チタンの光触媒作用を高めることができる。
【００１７】
請求項３に記載された発明によれば、請求項２に記載された発明と同様の効果を奏すると共に赤色光〜黄色光の範囲の波長の光は、一般に、にきびを防止し、繊維芽細胞の活性を促し、神経ブロックを活性化し、コレステロールの分解に作用を有することから、美肌効果に優れる。また、近赤外光は、一般に皮膚に対する浸透性が高い為、繊維芽細胞の増殖を促すことから美肌効果に優れると共に二酸化チタンの活性を高めることができる。
【００１８】
請求項４に記載された発明によれば、請求項１に記載された発明と同様な作用効果を奏すると共に、発光ダイオードを点滅させることにより、光による皮膚の刺激を高め、小皺や染みの防止等、優れた美肌効果を発揮することができる。
【００１９】
請求項５に記載された発明によれば、請求項４に記載の発明と同様の作用効果を奏すると共に、純正チタンの陽極酸化処理により表面に二酸化チタン層を形成すると、薄膜状になって表面が光の干渉により虹色に見えるので、外観がよく意匠に優れる。
【発明を実施するための最良の形態】
【００２０】
以下に、図面を参照しつつ本発明の実施形態について説明する。図１は、図３に示す美容機器のＡ−Ａ断面図であり、図２は図３に示す美容機器のＢ−Ｂ断面図であり、図３は本実施の形態に係る美容機器の外観を示す斜視図であり、図４は、図３に示す美容機器の使用状態を示す斜視図であり、図５は本実施の形態に用いる発光ダイオードの光の波長を説明するグラフである。
【００２１】
本実施形態の美容機器１は、皮膚の美容の為に家庭等において個人的に用いられるものであり、装置本体３と、チタンローラ５と、光照射部７とを備えている。
【００２２】
チタンローラ５は、円筒形状であり表面（側面）に二酸化チタン層が形成されている。二酸化チタン層は、純正チタンを陽極酸化して薄膜状に形成してある。この二酸化チタン層は、薄膜としてあるので光の干渉により表面が虹色に見える。
【００２３】
円筒形状のチタンローラ５は、両端に設けた回転軸１１、１１を装置本体３の先端部１３に軸支してあり、回転自在になっている。
【００２４】
光照射部７は、装置本体３の先端側でチタンローラ５に近接して設けてある。この光照射部７はユニットになっており、後述の嵌合部２３に脱装可能に自在に嵌め込んである。
【００２５】
光照射部７には、発光する光色が異なる２種類の発光ダイオード１３ａ、１３ｂが配置されており、各種の発光ダイオード１３ａ、１３ｂは、多数個ずつ設けてある。一方の発光ダイオード１３ａは、赤色光〜黄色光の範囲内の波長の光を発光する発光ダイオードであり、他方のダイオードは近赤外光の発光ダイオードである。具体的には、図５に示すように、一方の発光ダイオード１３ａは６１０ｎｍ近辺の波長の光（赤に近いオレンジ色）を発光し、他方の発光ダイオード１３ｂは、９４０ｎｍ近辺の波長の光（赤外領域）を発光する。
【００２６】
各種の発光ダイオード１３ａ、１３ｂは、１秒間に２回以上の周波数で点滅しており、点滅の間隔は好ましくは５〜１００Ｈｚであるが、本実施の形態では５Ｈｚの周波数で点滅するように制御部１５で制御されている。
【００２７】
発光ダイオード１３ａ、１３ｂの配列は、特に制限は無いが、本実施の形態では、２種類の発光ダイオード１３ａ、１３ｂは交互に隣り合わせに配列されている。
【００２８】
尚、発光ダイオード１３ａ、１３ｂの光照射側には、透明な光散乱板が配置されており、光の拡散を図っている。
【００２９】
装置本体３は樹脂製であり、把持部１７と、光照射部のＯＮ／ＯＦＦスイッチ１９と、チタンローラ支持部２１ａ、２１ｂとが設けてある。把持部１７内には電池１８が装着されている。チタンローラ支持部２１ａ、２１ｂ間には、チタンローラ５の側面に沿って光照射部の嵌合部２３が設けてある。
【００３０】
次に、本実施の形態に係る美容機器１の使用方法、作用効果について説明する。使用の際には、図４に示すように装置本体３の把持部を手で握って、ＯＮ／ＯＦＦスイッチ１９をＯＮにしてチタンローラ５を顔の皮膚に当てる。そして、装置本体３を皮膚に沿って移動させると、チタンローラ５が回転して皮膚面を移動する。チタンローラ５は表面（周面）に薄膜の二酸化チタン層を形成しているので、表面が光の干渉により虹色に見え、外観がよい。
【００３１】
光照射部７の発光ダイオード１３ａ、１３ｂから発せられる光は、皮膚面に向けて照射するが、一部はチタンローラ５の表面に照射されて、チタンローラの表面に形成してある二酸化チタンを活性化し、二酸化チタンの光触媒作用を高めることができる。また、発光ダイオード１３ａ、１３ｂは、所定の周波数（本実施の形態では、５Ｈｚの周波数）で点滅するので、光による皮膚の刺激を高め、小皺や染みの防止等、優れた美肌効果を発揮することができる。
【００３２】
本実施の形態によれば、発光ダイオード１３ａ、１３ｂによる光照射により皮膚に刺激を与えて皮膚の活性化を図ると共に、二酸化チタンの光触媒作用により皮膚に付着している細菌の増殖を抑え且つ滅菌する。
【００３３】
このような発光ダイオード１３ａ、１３ｂとチタンローラ５の二酸化チタンによる複合作用を得ることができ、皮膚の老化防止、にきびの抑制及び美白を促すことができる。更に、二酸化チタンの光触媒作用により、皮膚に付着している老化物の分解、イオンの放出により生体電流を整え、親水作用により皮膚にうるおいを与えることができる。
【００３４】
チタンローラ５を皮膚に当ててチタンローラが回転するように皮膚を移動させるだけであり、操作性が良い。
【００３５】
また、チタンローラと発光ダイオードとの構成であるから高圧電力を必要とせず、安全であると共に簡易な構成で且つ取り扱いが容易であり、家庭においても容易に使用することができる。
【００３６】
特に、光照射部７では、一方の種類の発光ダイオード１３ａが赤色光〜黄色光の範囲の波長の光を発しており、この波長の光は、一般に、にきびを防止し、繊維芽細胞の活性を促し、神経ブロックを活性化し、コレステロールの分解に作用を有することから、美肌効果に優れる。また、他方の種類の発光ダイオード１３ｂは、一般に、皮膚に対する浸透性が高い為、繊維芽細胞の増殖を促すことから、美肌効果に優れると共に二酸化チタンの活性を高めることができる。
【００３７】
本発明は、前述した実施形態に限定されず、その要旨を逸脱しない範囲で種々変形可能である。
【００３８】
例えば、発光ダイオードは、２波長の種類のもの１３ａ、１３ｂに限らず、黄色光、赤色光、近赤外光、青色光の４種類のものを用いてもよい。このような４種類の色の光を照射する場合には、神経ブロックが更に刺激されて、染みや小ジワ等を効果的に減らすことができる。しかも、複数種の光をムラ無く充分に干渉させて照射することができる為、にきび肌改善、保湿効果、赤ら顔改善、毛穴縮小等より優れた美容効果を得ることができる。更に、発光ダイオードは、４１６ｎｍ、４６０ｎｍ、５７５ｎｍ、６３５ｎｍ、８７０ｎｍ等の波長のものを用いても良い。
【００３９】
また、光照射部７を２つ設け、一方はチタンローラの周囲面に照射し、他方は皮膚に向けて照射するものであっても良い。
【００４０】
請求項１〜３に記載の発明では、発光ダイオード１３ａ、１３ｂを点滅させなくても良い。
【図面の簡単な説明】
【００４１】
【図１】図３に示す美容機器のＡ−Ａ断面図である。
【図２】図３に示す美容機器のＢ−Ｂ断面図である。
【図３】本実施の形態に係る美容機器の外観を示す斜視図である。
【図４】図３に示す美容機器の使用状態を示す斜視図である。
【図５】本実施の形態に用いる発光ダイオードの光の波長を説明するグラフである。
【符号の説明】
【００４２】
１      美容機器
３      装置本体
５      チタンローラ
７      光照射部
１３ａ、１３ｂ    発光ダイオード
１５    制御部
１７    把持部
【図１】
2008142207.tif 000003
【図２】
2008142207.tif 000004
【図３】
2008142207.tif 000005
【図４】
2008142207.tif 000006
【図５】
2008142207.tif 000007
【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
表面に二酸化チタン層を有するチタンローラと、光照射部とを備える美容器であって、光照射部は異なる波長の光を発する２種以上の発光ダイオードを有し、チタンローラの側線に沿って配置してあり、チタンローラと光照射部とは、手で把持する把持部の先端側に設けてあり、光照射部はチタンローラの回転軸よりも把持部の後端側に配置して且つ先端側から見たときにチタンローラの後ろに隠れる部分とチタンローラから食み出す部分とがあり、先端に向けて照射した光の一部をチタンローラに照射していることを特徴とする美容機器。
【請求項２】
発光ダイオードは少なくとも、赤色光〜黄色光の範囲内の波長の光を発光する発光ダイオードと、近赤外光の発光ダイオードであることを特徴とする請求項１に記載の美容機器。
【請求項３】
各発光ダイオードは１秒間に２回以上点滅することを特徴とする請求項１に記載の美容機器。
【請求項４】
チタンローラは純正チタンの表面を陽極酸化してあることを特徴とする請求項１に記載の美容機器。
【手続補正２】
【補正対象書類名】明細書
【補正対象項目名】全文
【補正方法】変更
【補正の内容】
【発明の詳細な説明】
【技術分野】
【０００１】
本発明は、美容機器に係わり、特に皮膚の活性化を図ると共に皮膚の細菌増殖を抑え、美肌効果に優れる美容機器に関する。
【背景技術】
【０００２】
特許文献１には、発光ダイオードの光を皮膚に向けて照射すると共にビタミン水溶液をイオン化して皮膚に供給する美容機器が開示されている。
【０００３】
【特許文献１】特開２００５−１６８８９４号公報
【発明の開示】
【発明が解決しようとする課題】
【０００４】
しかしながら、特許文献１の美容機器は、ビタミン液をイオン化するので構成が複雑になると共にビタミン液を補充しなければならないので、取り扱いに手間が係るという問題がある。
【０００５】
また、特許文献１では、皮膚表面の細菌増殖を押さえ或いは滅菌には充分でなく、細菌による肌荒れ防止効果が薄い。
【０００６】
更に、簡易に取扱いでき、家庭や個人でも安全に使用できる美容機器が望まれている。
【０００７】
本発明は、前記事情に着目してなされたものであり、簡易な構成で且つ取り扱いが容易であり、安全性が高く美肌効果に優れる美容機器を提供することにある。
【課題を解決するための手段】
【０００８】
前記課題を解決する為に、請求項１に記載された発明は、表面に二酸化チタン層を有するチタンローラと、光照射部とを備える美容器であって、光照射部は異なる波長の光を発する２種以上の発光ダイオードを有し、チタンローラの側線に沿って配置してあり、チタンローラと光照射部とは、手で把持する把持部の先端側に設けてあり、光照射部はチタンローラの回転軸よりも把持部の後端側に配置して且つ先端側から見たときにチタンローラの後ろに隠れる部分とチタンローラから食み出す部分とがあり、先端に向けて照射した光の一部をチタンローラに照射していることを特徴とする。
【０００９】
【００１０】
請求項２に記載された発明は、請求項１に記載された発明において、発光ダイオードは少なくとも、赤色光〜黄色光の範囲内の波長の光を発光する発光ダイオードと、近赤外光の発光ダイオードであることを特徴とする。
【００１１】
請求項３に記載された発明は、請求項１に記載された発明において、各発光ダイオードは１秒間に２回以上点滅することを特徴とする。
【００１２】
請求項４に記載された発明は、請求項１に記載された発明において、チタンローラは純正チタンの表面を陽極酸化してあることを特徴とする。
【発明の効果】
【００１３】
請求項１に記載された発明によれば、発光ダイオード（ＬＥＤ）による光照射により皮膚に刺激を与えて皮膚の活性化を図ると共に、二酸化チタンの光触媒作用により皮膚に付着している細菌の増殖を抑え且つ滅菌する。このような発光ダイオードと二酸化チタンによる複合作用を得ることができ、皮膚の老化防止、にきびの抑制及び美白を促すことができる。更に、二酸化チタンの光触媒作用により、皮膚に付着している老化物の分解、イオンの放出により生体電流を整え、親水作用により皮膚にうるおいを与えることができる。
【００１４】
美容機器は、発光ダイオードから光を照射しつつチタンローラを皮膚に当ててチタンローラが回転するように皮膚面に沿って移動させるだけであり、操作性が良い。
【００１５】
また、チタンローラと発光ダイオードとの構成であるから高圧電力を必要とせず、安全であると共に簡易な構成で且つ取り扱いが容易である。
【００１６】
更に、発光ダイオードの光の一部をチタンローラに照射するので、二酸化チタンの光触媒作用を高めることができる。
【００１７】
請求項２に記載された発明によれば、請求項１に記載された発明と同様の効果を奏すると共に赤色光〜黄色光の範囲の波長の光は、一般に、にきびを防止し、繊維芽細胞の活性を促し、神経ブロックを活性化し、コレステロールの分解に作用を有することから、美肌効果に優れる。また、近赤外光は、一般に皮膚に対する浸透性が高い為、繊維芽細胞の増殖を促すことから美肌効果に優れると共に二酸化チタンの活性を高めることができる。
【００１８】
請求項３に記載された発明によれば、請求項１に記載された発明と同様な作用効果を奏すると共に、発光ダイオードを点滅させることにより、光による皮膚の刺激を高め、小皺や染みの防止等、優れた美肌効果を発揮することができる。
【００１９】
請求項４に記載された発明によれば、請求項１に記載の発明と同様の作用効果を奏すると共に、純正チタンの陽極酸化処理により表面に二酸化チタン層を形成すると、薄膜状になって表面が光の干渉により虹色に見えるので、外観がよく意匠に優れる。
【発明を実施するための最良の形態】
【００２０】
以下に、図面を参照しつつ本発明の実施形態について説明する。図１は、図３に示す美容機器のＡ−Ａ断面図であり、図２は図３に示す美容機器のＢ−Ｂ断面図であり、図３は本実施の形態に係る美容機器の外観を示す斜視図であり、図４は、図３に示す美容機器の使用状態を示す斜視図であり、図５は本実施の形態に用いる発光ダイオードの光の波長を説明するグラフである。
【００２１】
本実施形態の美容機器１は、皮膚の美容の為に家庭等において個人的に用いられるものであり、装置本体３と、チタンローラ５と、光照射部７とを備えている。
【００２２】
チタンローラ５は、円筒形状であり表面（側面）に二酸化チタン層が形成されている。二酸化チタン層は、純正チタンを陽極酸化して薄膜状に形成してある。この二酸化チタン層は、薄膜としてあるので光の干渉により表面が虹色に見える。
【００２３】
円筒形状のチタンローラ５は、両端に設けた回転軸１１、１１を装置本体３の先端部１３に軸支してあり、回転自在になっている。
【００２４】
光照射部７は、装置本体３の先端側でチタンローラ５に近接して設けてある。この光照射部７はユニットになっており、後述の嵌合部２３に脱装可能に自在に嵌め込んである。
【００２５】
光照射部７には、発光する光色が異なる２種類の発光ダイオード１３ａ、１３ｂが配置されており、各種の発光ダイオード１３ａ、１３ｂは、多数個ずつ設けてある。一方の発光ダイオード１３ａは、赤色光〜黄色光の範囲内の波長の光を発光する発光ダイオードであり、他方のダイオードは近赤外光の発光ダイオードである。具体的には、図５に示すように、一方の発光ダイオード１３ａは６１０ｎｍ近辺の波長の光（赤に近いオレンジ色）を発光し、他方の発光ダイオード１３ｂは、９４０ｎｍ近辺の波長の光（赤外領域）を発光する。
【００２６】
各種の発光ダイオード１３ａ、１３ｂは、１秒間に２回以上の周波数で点滅しており、点滅の間隔は好ましくは５〜１００Ｈｚであるが、本実施の形態では５Ｈｚの周波数で点滅するように制御部１５で制御されている。
【００２７】
発光ダイオード１３ａ、１３ｂの配列は、特に制限は無いが、本実施の形態では、２種類の発光ダイオード１３ａ、１３ｂは交互に隣り合わせに配列されている。
【００２８】
尚、発光ダイオード１３ａ、１３ｂの光照射側には、透明な光散乱板が配置されており、光の拡散を図っている。
【００２９】
装置本体３は樹脂製であり、把持部１７と、光照射部のＯＮ／ＯＦＦスイッチ１９と、チタンローラ支持部２１ａ、２１ｂとが設けてある。把持部１７内には電池１８が装着されている。チタンローラ支持部２１ａ、２１ｂ間には、チタンローラ５の側面に沿って光照射部の嵌合部２３が設けてある。
【００３０】
次に、本実施の形態に係る美容機器１の使用方法、作用効果について説明する。使用の際には、図４に示すように装置本体３の把持部を手で握って、ＯＮ／ＯＦＦスイッチ１９をＯＮにしてチタンローラ５を顔の皮膚に当てる。そして、装置本体３を皮膚に沿って移動させると、チタンローラ５が回転して皮膚面を移動する。チタンローラ５は表面（周面）に薄膜の二酸化チタン層を形成しているので、表面が光の干渉により虹色に見え、外観がよい。
【００３１】
光照射部７の発光ダイオード１３ａ、１３ｂから発せられる光は、皮膚面に向けて照射するが、一部はチタンローラ５の表面に照射されて、チタンローラの表面に形成してある二酸化チタンを活性化し、二酸化チタンの光触媒作用を高めることができる。また、発光ダイオード１３ａ、１３ｂは、所定の周波数（本実施の形態では、５Ｈｚの周波数）で点滅するので、光による皮膚の刺激を高め、小皺や染みの防止等、優れた美肌効果を発揮することができる。
【００３２】
本実施の形態によれば、発光ダイオード１３ａ、１３ｂによる光照射により皮膚に刺激を与えて皮膚の活性化を図ると共に、二酸化チタンの光触媒作用により皮膚に付着している細菌の増殖を抑え且つ滅菌する。
【００３３】
このような発光ダイオード１３ａ、１３ｂとチタンローラ５の二酸化チタンによる複合作用を得ることができ、皮膚の老化防止、にきびの抑制及び美白を促すことができる。更に、二酸化チタンの光触媒作用により、皮膚に付着している老化物の分解、イオンの放出により生体電流を整え、親水作用により皮膚にうるおいを与えることができる。
【００３４】
チタンローラ５を皮膚に当ててチタンローラが回転するように皮膚を移動させるだけであり、操作性が良い。
【００３５】
また、チタンローラと発光ダイオードとの構成であるから高圧電力を必要とせず、安全であると共に簡易な構成で且つ取り扱いが容易であり、家庭においても容易に使用することができる。
【００３６】
特に、光照射部７では、一方の種類の発光ダイオード１３ａが赤色光〜黄色光の範囲の波長の光を発しており、この波長の光は、一般に、にきびを防止し、繊維芽細胞の活性を促し、神経ブロックを活性化し、コレステロールの分解に作用を有することから、美肌効果に優れる。また、他方の種類の発光ダイオード１３ｂは、一般に、皮膚に対する浸透性が高い為、繊維芽細胞の増殖を促すことから、美肌効果に優れると共に二酸化チタンの活性を高めることができる。
【００３７】
本発明は、前述した実施形態に限定されず、その要旨を逸脱しない範囲で種々変形可能である。
【００３８】
例えば、発光ダイオードは、２波長の種類のもの１３ａ、１３ｂに限らず、黄色光、赤色光、近赤外光、青色光の４種類のものを用いてもよい。このような４種類の色の光を照射する場合には、神経ブロックが更に刺激されて、染みや小ジワ等を効果的に減らすことができる。しかも、複数種の光をムラ無く充分に干渉させて照射することができる為、にきび肌改善、保湿効果、赤ら顔改善、毛穴縮小等より優れた美容効果を得ることができる。更に、発光ダイオードは、４１６ｎｍ、４６０ｎｍ、５７５ｎｍ、６３５ｎｍ、８７０ｎｍ等の波長のものを用いても良い。
【００３９】
また、光照射部７を２つ設け、一方はチタンローラの周囲面に照射し、他方は皮膚に向けて照射するものであっても良い。
【００４０】
請求項１〜３に記載の発明では、発光ダイオード１３ａ、１３ｂを点滅させなくても良い。
【図面の簡単な説明】
【００４１】
【図１】図３に示す美容機器のＡ−Ａ断面図である。
【図２】図３に示す美容機器のＢ−Ｂ断面図である。
【図３】本実施の形態に係る美容機器の外観を示す斜視図である。
【図４】図３に示す美容機器の使用状態を示す斜視図である。
【図５】本実施の形態に用いる発光ダイオードの光の波長を説明するグラフである。
【符号の説明】
【００４２】
１      美容機器
３      装置本体
５      チタンローラ
７      光照射部
１３ａ、１３ｂ    発光ダイオード
１５    制御部
１７    把持部